(57)【特許請求の範囲】
【請求項１】
背当て部上部に取り付けられた肩ベルト取り付け具に一対の肩ベルトを取り付けて構成したランドセルにおいて、前記肩ベルト取り付け具及び前記肩ベルトの一端には、それぞれ第一係合部及び第二係合部を設け、前記肩ベルト取り付け具にはハウジングが設けられ、上記ハウジングに２つの第一係合部を設けると共に前記第一係合部は前記第二係合部が前記ハウジング内に挿入された状態で第二係合部と係合するように構成され、前記肩ベルト係合部は肩ベルト取り付け具と係合状態で、係合部を軸に回動可能であり、かつハウジング内に２つの第一係合部の間に固定されたばねによって一対の肩ベルトは双方が常に閉じる方向に付勢されるように構成されていることを特徴とするランドセル。    
【発明の詳細な説明】
【技術分野】
【０００１】
本発明は、ランドセルに関するものである。
【背景技術】
【０００２】
従来のランドセルの肩ベルトはランドセル本体にカシメや縦製にて強固に取り付けられており、肩ベルトは６年間もの長期使用に関して使用者の成長などの体格変化の対応にはベルトの長さ調節しかできていない。特許文献１は肩ベルトが本体と脱着できる構造であるが工具が必要であるため交換作業が面倒でありさらに専用取り付け用パーツが別部品で必要になるため交換中に紛失の可能性があった。また、係合部が露出しており見栄えも良くない。特許文献２は肩ベルトの脱着装置が肩ベルト取り付け具に対して背負った状態で外部上方に配置されているために大型で重くなり背負ったときに子供の首に脱着装置が当たる問題があった。特許文献３は特許文献１同様に肩ベルトが本体と脱着できる構造であるが工具が必要であるため交換作業が面倒であり、さらに専用取り付け用パーツが別部品で必要になるため交換中に紛失の可能性がある。また特許文献１より見栄えを良くするための係合部のネジなどを隠す部品がさらに増える欠点もあり、一般の使用者が交換するには難があった。
【先行技術文献】
【特許文献】
【０００３】
【特許文献１】特許第４１９３１２４号  公報
【特許文献２】特開２００６-２５９９８  公報
【特許文献３】実用新案登録第３１６３２５６号  公報
【発明の概要】
【発明が解決しようとする課題】
【０００４】
本発明は肩ベルトを従来のように工具や別の取り付けパーツを使用しないで誰でも簡単に取り外しできるようにし、かつ取り付け部の見栄えを良くしさらに背負い心地の良いランドセルを提供するものである。
【課題を解決するための手段】
【０００５】
背当て部上部に取り付けられた肩ベルト取り付け具に一対の肩ベルトを取り付けて構成したランドセルにおいて、前記肩ベルト取り付け具及び前記肩ベルトの一端には、それぞれ第一係合部及び第二係合部を設け、前記肩ベルト取り付け具にはハウジングが設けられ、前記第一係合部は前記第二係合部が前記ハウジング内に挿入された状態で第二係合部と係合するように構成した。  
【発明の効果】
【０００６】
本発明によりランドセルから肩ベルトが簡単に取り外しできることにより、使用者の個人の体格差や６年間の成長変化又は季節、使用状況など快適にランドセルを背負えるために様々な種類の肩ベルトを、使用者は好みにより付け替えることが出来るようになる。例えば低学年生ではコンパクトでソフトなベルトが良いだろうし、高学年生は幅が広く長めでしっかりしたベルトが適している。また夏場は汗などで蒸れる可能性があるのでメッシュ生地のベルトが適している。更に、デザインの好きな物や背負い易さや機能性で数種類の肩ベルトを保有し使用環境に応じて付け替えることも可能であり従来に比べより一層に背負い心地のよいランドセルに仕上がり。６年間安心して快適に背負うことができる。
【０００７】
また、従来のランドセルの選び方は肩ベルトも縫製などで取り付けられた完成品の中から、主にデザインや各部の作りこみ、重さ、素材、価格などを比べて決定していた。本発明を利用すればランドセル本体と肩ベルトを別々に検討し、背負い心地やデザインをその場で組み合わせて背負って確認し決定することができ、ランドセルは従来とは変わり選択の自由度と安心感が広がり、したがってより満足度の高いランドセルとなる。使用開始数日使ってみると使用者の体に合っていないことから体の痛みが発生するなどの問題も良くあるが、その場合も肩ベルトの変更が簡単に行えるのでリスクが低いランドセルとなる。また肩ベルトは使用者の体に一番触れるところでありランドセルの部品の中で一番の消耗部品ともいえ、この点においても肩ベルトが簡単に取り換え可能となるメリットがある。その場合スポーツメーカーやアウトドアメーカーとコラボレーションした機能性の高い肩ベルトやファッションブランドやキャラクターの著作権を持つ企業とコラボレーションしたデザイン性の高い肩ベルトの提供も同時に可能となるなど永いランドセルの歴史の中で大きな進歩となる。
【０００８】
また肩ベルトが簡単に脱着可能となったことで製造工程において肩ベルトはパーツとして長く各所の縫製作業において厄介な部品であるため、できるだけ後工程に取り付けた方が良い。本発明であれば完成の最終工程もしくは販売直前に取り付けることが可能で製造コストの低減となる。また店頭での不良品の交換や使用者の破損などによる交換作業などは今までは一度工場に送り縫製をほどいてやり直す必要があったが、そのまま現場もしくは使用者へ交換用の肩ベルトを送り、交換することが可能となり販売する側と使用者側の双方にメリットがある。
【図面の簡単な説明】
【０００９】
【図１】肩ベルト取り付け具部品構成図
【図２】ランドセル取り付け状態斜視図
【図３】係合部断面図
【図４】係合部断面図
【図５】肩ベルト取り付け具組み立て状態透視図
【図６】係合部断面図
【図７】肩ベルト係合部斜視図
【図８】係合部断面図
【図９】係合部斜視図
【図１０】係合部断面図
【図１１】肩ベルト係合部斜視図
【図１２】係合部断面図
【図１３】ランドセル部品構成図
【図１４】肩ベルト斜視図
【図１５】肩ベルト取り付け具部品構成図
【図１６】肩ベルト係合部斜視図
【図１７】肩ベルト係合部斜視図
【図１８】カバー係合部斜視図
【図１９】カバー部品構成図
【図２０】係合部断面図
【図２１】係合部断面図
【発明を実施するための形態】
【００１０】
以下本発明の実施形態について説明する。脱着可能な肩ベルト構造を部品に分けて図１に示す。ケース３に吊カン５、ばね６をばね固定ボス３５とばね固定壁３４にセットし、カバー４をかぶせてケース３の裏面よりネジ７にてばね固定ボス３５の穴を通りカバー４のネジ固定ボス４２に取りつければ肩ベルト取り付け具１が完成し、ケース３とカバー４によってハウジングが形成される。ケース３には組み立て完了後に肩ベルト係合部２を肩ベルト取り付け具１に挿入する際に左右や裏表を間違って挿入しないように誤挿入防止リブ４０が設けてあり、それに対する溝（図示せず）が肩ベルト係合部２に設けてある。ケース３に設けてあるカシメ用穴３６とカバー４に設けてあるカシメ用穴４３は肩ベルト取り付け具１を図１３に示す、ランドセル本体５０にカシメなどで取り付けるための穴である。また３３ａ回動規制壁、回動壁３３ｂは肩ベルト係合部２の回動範囲を規制するために設けてある。
【００１１】
前記肩ベルト取り付け具１においては近年ランドセルを机の横などに吊り下げることがなくなりロッカーへの収納に変わってきたために吊カン５は必要が無くなっており、吊カン５を省いた１例を図１５に示す。ケース６０の裏面よりネジ７にて穴６８を通りカバー７０のネジ固定用ボス７２に取り付けるとハウジングが設けられ肩ベルト取り付け具１ａが完成する。前記完成状態に肩ベルト取り付け具１ａに設けられた係合穴７１に、あらかじめ肩ベルト係合部２ｅの係合凸部８１に取り付けておいても良い。ケース６０には組み立て完了後に肩ベルト係合部２ｅを肩ベルト取り付け具１ａに挿入する際に左右や裏表を間違って挿入しないように誤挿入防止リブ６７が設けてあり、それに対する溝（図示せず）が肩ベルト係合部２ｅに設けてある。また、肩ベルト取り付け具１ａに肩ベルト係合部２ｅを挿入した際に適正位置で固定されるようにストッパー６２を設けてある。ケース６０に設けてあるカシメ用穴６６とカバー７０に設けてあるカシメ用穴７３は肩ベルト取り付け具１ａを図１３に示す、ランドセル本体５０にカシメなどで取り付けるための穴である。またケース６０のガイド６５はカバー７０のネジ固定用ボス７２をケース６０に取り付けるためのガイドであり、無くてもよい。また６３ａ回動規制壁、回動壁６３ｂは肩ベルト係合部２ｅの回動範囲を規制するために設けてある。
【００１２】
次に肩ベルト取り付け具１をランドセル本体５０に取り付けた状態を図２に示している。左側の肩ベルト取り付け具１と肩ベルト係合部２とは係合状態を示してあり右側の肩ベルト係合部２と肩ベルト取り付け具１とは未係合状態を示してある。肩ベルト係合部２は図１に示すＤカン２３に肩ベルトの端部を巻き込んで縫製やカシメにて取り付けられている。肩ベルト取り付け具１の上方側面には肩ベルト係合部２を挿入する開口部９が形成されており、そこに肩ベルト係合部２の係合凸部２１を手前に向けた状態で開口部９に肩ベルト係合部２の先端部を挿入し、係合凸部２１が係合穴４１に係合するまで挿入すれば取り付け完了となる。係合穴４１は貫通穴でなくても係合可能形状例えば裏面に係合可能な凹部などが有ればよいが、外部からの操作で簡単に取り外す場合は穴が好ましく大きな貫通穴であると指などで操作可能であり、穴を目立たなくさせる場合は小さな穴とし針金のような細い棒で押し込み係合を解除しても良い。また、埃などの侵入を防ぎたい場合はケース４の外側に軟質材、例えばラバー製のカバーなどで覆っても良い。  
【００１３】
このように肩ベルト係合部２はハウジングに挿入された状態で係合状態となるため、外観の見栄えは良くなると共に突出部がハウジングのみとなるため、表面が滑らかで背負い心地の良いランドセルとなる。
【００１４】
前記肩ベルト係合部２の肩ベルト取り付け具１への係合方法について断面図を用いて図３に示す。開口部９に肩ベルト係合部２の係合凸部２１がカバー４の係合穴４１に向いた状態で挿入する。係合凸部２１は図１に示すスリット２２により肩ベルト係合部２に対し弾性を有してたわむことができるようになっているため、開口部９に挿入されると係合凸部２１はカバー４の面取り部４４により内側にたわませた状態で挿入する。さらに挿入し操作用穴４１に到達すると変形していた係合凸部２１は係合穴４１にて復元し図４に示す状態で係合される。また肩ベルト係合部２を取り外す場合には係合凸部２１を係合穴４１から指などで押しこみ開口部９の隙間に収まるよう係合凸部２１をたわませながら肩ベルト係合部２を上方に引き上げると取り外し完了となる。
【００１５】
肩ベルト取り付け具１に肩ベルト係合部２をセットした状態を図５に示した。肩ベルト係合部２は係合穴４１を軸に、上部が外側に開くように回動し一点鎖線で示す位置まで回動するが、普段はばね６によってそれぞれの成す角度が狭い位置になるよう押さえられている。また肩ベルト係合部２に外側方向に前記の押さえ力より強い外力が加わった場合は、外側に開く。その開く回動角度は回動規制壁３３ａによって設定した角度で規制されている。
【００１６】
また肩ベルト取り付け具１に肩ベルト係合部２を係合させ肩ベルト係合部２の開き角度が内側に一番閉じた状態では肩ベルト係合部２は肩ベルト１０の引き抜きに対して係合凸部２１だけで保持しているが、前記肩ベルト係合部２がすこしでも外側に開いた場合は、肩ベルト１０の引き抜きに対して肩ベルト係合部２がケース３の回動規制壁３３ａと回動壁３３ｂに挟まれて外れない構造となっており、通常使用者がランドセル５０を背負っている時や肩ベルト１０を持っている時など肩ベルト係合部２は開いた状態にあり、この場合ランドセルの荷重はカバー４の係合穴４１だけでなくケース３の回動規制壁３３ａと回動壁３３ｂにも分散されるため、例えば肩ベルト１０を児童が左右で引っ張るようなことをした場合でもその応力が一箇所に集中することがなく破壊に至るリスクも低減される。
【００１７】
また肩ベルト係合部２は通常ばね６によって外部からの力が加わらない場合には肩ベルト係合部２は図５のように閉じるように力が加わっており、使用者の体格や背負い方により適宜ばね６の力に逆らって外側広がる。また吊カン５は抜け止め３１とストッパー３２によって外れることなく伸縮可能な構造になっている。近年はランドセルを机の横に吊り下げる用途がなくなったことから吊カン５は無くてもよい。
【００１８】
前記に示した肩ベルト係合部２と係合凸部２１は一体成型されておりスリット２２の効力により、係合凸部２１は弾性変形可能となっているが、図６に示すように肩ベルト係合凸部２ａに係合凸部２１ａを取り付け、ばね２４ａをセットし蓋２３ａをすれば上記肩ベルト係合凸部２と同様の機能を果たすことも可能である。
【００１９】
その他肩ベルト取り付け具１と肩ベルト係合部２とを簡単に脱着させる構造について別例を示したのが図７から図１２である。図７では肩ベルト係合部２ｂの係合凸部２１ｂは係合板２４ｂに固定されており、支え板２５ｂと二股につながって構成されている。開口部９に挿入する際は図８に示すように係合板２４ｂと支え板２５ｂが双方内側に押し曲げられながら係合凸部２１ｂが挿入されて係合凸部２１ｂが係合穴４１に到達すると係合板２４ｂと支え板２５ｂによって形成されているばねの復元によって係合凸部２１ｂは係合穴４１と係合する。
【００２０】
また図９は係合凸部３７ｃをケース３ｃに設けた構造を示しており、係合凸部３７ｃはケース３ｃの底面から薄肉の樹脂製の板ばね３８ｃで少し盛り上がるように設けられておりスリット３９ｃにより係合凸部３７ｃは弾性変形可能になっている。肩ベルト係合部２ｃには係合穴２１ｃがあり、開口部９に対して肩ベルト係合部２ｃを挿入すると板ばね３８ｃが外側に押し曲げられながら挿入されて行き、係合穴２１ｃに係合凸部３７ｃが到達すると板ばね３８ｃが変形から解放され復元し板ばね３８ｃにより係合凸部３７ｃは係合穴２１ｃと図１０に示すように係合する。取り外す場合は操作用穴４１ａから指等で係合部３７ｃをたわませながら肩ベルト係合部２を上方に引き上げると取り外し完了となる。
【００２１】
肩ベルト係合部２のその他の例として図１１には肩ベルト係合部２ｄの係合凸部２１ｄは係合板２５ｄに固定されており、支持板２４ｄと先端部で連接されている。開口部９に挿入される場合は前記同様係合板２５ｄが図１２に示すように内側に押し曲げながら挿入されて行き、係合穴４１に到達すると板ばね２５ｄは変形から解放され、復元した係合凸部２１ｄは係合穴４１と係合する。
【００２２】
本発明を実施した場合のランドセルの形態の1例をあげる。一般的にはランドセルには肩ベルトが取り付けられて販売されているが、本発明の脱着機構を肩ベルトの上下両端の肩ベルト取り付け部に使用すれば図１３に示すように肩ベルト係合部とランドセルの肩ベルト取り付け具が簡単に付け替えられるようになり、それによってランドセル本体５０だけ（肩ベルトなし）の購入も可能であり、また肩ベルトだけの購入も可能となる。したがって使用者はランドセルの収納部分の性能・機能やデザインと肩ベルトの性能・機能やデザインとをそれぞれ好みで、吟味したものを組み合わせてランドセルを完成することができ、従来品より本人にフィットした背負い心地のよいランドセルを使用することができる。なお、本発明の脱着機構は肩ベルトの上下取り付け部のどちらか一方に使用し、他方は別の方法でもよい。
【００２３】
さらに図１４では図１３とは別の例を示した。図１３では従来型の肩ベル１０を使用していたが、より長距離の背負っての移動を要する使用者や肩への負担を低減させたい使用者には、登山などに使用するザックに使われているような肩ベルト１１をランドセル本体５０と組み合わせて取り付けることができる。
【００２４】
前記は肩ベルト取り付け具１に肩ベルト係合部２を簡単に脱着させる例として、樹脂の弾性を使った構造を基本に説明したが同じ部分に金属の板材や巻線を使った係合手段を使っても良い
【００２５】
図１ではカバー４がそのまま外観面となっているが意匠性を考えて別部材例えばランドセル表皮と同材質の物等で覆っても良い。
【００２６】
また、肩ベルトの使用に際してカバー４の強度向上のために、３か所のカシメ鋲８でランドセルに固定する際に金属などの補強プレートを同時に取り付けても良い。
【００２７】
また前記図１の肩ベルト係合部２のＤカン２３は円柱形状であるために取り付けた肩ベルト１０は回動自由であるが、図１６に示す肩ベルト係合部２ｆのＤカン９３には取り付け板９４が設けられているため、肩ベルト１０を取り付けた場合、肩ベルト係合部２ｆに対して回動させずに設定した角度で固定可能である。また取りつけ板９４以外に肩ベルト１０を同様に回動させないためにＤカン９３を異形状にしてもよい。
【００２８】
また肩ベルトを取り付ける際に従来使用されている金属の三角形の環状体のＤカン（図示せず）を肩ベルト係合部２ｇの貫通穴に取り付け前記環状体のＤカンに肩ベルト１０を取り付けても良い。
【００２９】
これまでは図１に示すように肩ベルト係合部２を肩ベルト取り付け具１のカバー４に係合させており、係合穴４１の穴は同時に取り外し用にも使われていた。構造はシンプルであるが、肩ベルト取り付け具１の前面に穴が開いている。見栄えを良くするためには係合穴４１を極力小さくし、細い棒状のもので係合凸部２１を操作しても良いし、肩ベルト取り付け具１の外側に軟質のラバーをかぶせるなどしても良いが、さらに体裁良くするために係合穴４１をなくした例を図１８に示す。カバー１００は図１５に示すようにカバー７０から係合穴７１を無くした代わりに、解除レバー１１０を取り付ける構造を設置したものである。図１９に示すように、カバー１００の内部面には図１の肩ベルト係合部２の係合凸部２１が係合する係合凹部１０１が設けられている。またカバー１００には外側に解除レバー１１０が挿入されるための穴１０３が設けておりそのまま係合凹部１０１へと溝１０２でつながっている。解除レバー１１０には先端がテーパーになっている解除面１１１が設けてありその両側には溝１０２とスライドするリブ１１２がある。取り付け後、解除レバー１１０が外れないように爪１１３を設けてある。操作部１１４は係合凸部２１をリリースするために解除レバー１１０を押し込んだ際に係合凸部２１がリリース箇所に到達しそれ以上押し込まれないように、カバー１００の側面に当たるように設定されている。
【００３０】
肩ベルト取り付け具１から肩ベルト係合部２の取り外し方法について図２０,２１を用いて説明する。図２０は肩ベルト取り付け具１と肩ベルト係合部２が係合状態であり係合凸部２１は係合凹部１０１の側面に係合している。次に図２１は操作部１１４をカバー１００内に押し込んだ状態であり解除面１１１のテーパー部が係合凹部１０１に侵入し、係合凸部２１を内側にたわませ係合凹部１０１との係合を解除させている。この状態で肩ベルト係合部２を肩ベルト取り付け具１から引き抜けば、肩ベルトが取り外せる。図１８では解除レバー１１０はカバー１００の下方面からの操作であったが両横側面からの操作でも良く、解除レバー１１０が係合凸部２１を内側にたわませ係合凹部１０１との係合を解除させる構造であればどのような方向から、どんな形状でも良い。
【産業上の利用可能性】
【００３１】
背負いカバン
【符号の説明】
【００３２】
１・肩ベルト取り付け具、１ａ・肩ベルト取り付け具、２・肩ベルト係合部、２ａ・肩ベルト係合部、２ｂ・肩ベルト係合部、２ｃ・肩ベルト係合部、２ｄ・肩ベルト係合部、２ｅ・肩ベルト係合部、２ｆ・肩ベルト係合部、２ｇ・肩ベルト係合部、３・ケース、３ｃ・ケース、４・カバー、５・吊カン、６・ばね、６ａ・ばね、７・ネジ、８・カシメ鋲、９・開口部、１０・肩ベルト、１1・肩ベルト、２１・係合凸部、２１ａ・係合凸部、２１ｂ・係合凸部、２１ｃ・係合穴、２１ｄ・係合穴、２２・スリット、２３・Ｄカン、２３ａ・蓋、２３ｂ・Ｄカン、２４ａ・ばね、２４ｂ・係合板、２４ｄ・支持板、２５ｂ・支え板、２５ｄ・係合板、３１・抜け止め、３２・ストッパー、３３ａ・回動規制壁、３３ｂ・回動壁、３４・ばね固定壁、３５・ばね固定ボス、３６・カシメ用穴、３７ｃ・係合凸部、３８ｃ・板ばね、３９ｃ・スリット、４０・誤挿入防止リブ、４１・係合穴、４１ａ・操作用穴、４２・ネジ固定ボス、４３・カシメ用穴、４４・面取り部、５０・ランドセル本体、６１・抜け止め、６２・ストッパー、６３ａ・回動規制壁、６３ｂ・回動壁、６４・ばね固定壁、６５・ガイド、６６・カシメ用穴、６７・誤挿入防止リブ、７０・カバー、７１・係合穴、７２・ネジ固定ボス、７３・カシメ用穴、７４・面取り部、８１・係合凸部、８２・スリット、８３・Ｄカン、９３・Ｄカン、９４・取りつけ板、９５・貫通穴、１００・カバー、１０１・係合凹部、１０２・溝、１０３・穴、１１０・解除レバー、１１１・解除面、１１２・リブ、１１３・爪、１１４・操作部
【要約】      （修正有）【課題】使用者の性別や体格差や６年間の成長変化又は季節による衣類の状況などに応じて快適にランドセルを背負えるため、肩ベルトが個人の好みや季節、使用環境などに応じて様々な種類の背ベルトが用意され状況に応じて付け替えることができるものを提供する。【解決手段】ランドセルの背あて部に装着された肩ベルト取り付け具１のハウジング内部に配置した係合部に肩ベルトに配置した係合可能な係合部を前記ハウジング内に挿入させると係合状態となる。同時にこの係合部を軸に肩ベルトが回転可能な構造とした。またハウジングの穴から係合した係止部を指で押しこむことで誰でも簡単に肩ベルトが脱着可能とした。体格や状況に合わせて肩ベルトが交換できるようになり個人の好みに応じて背負い易さやデザインの好きな物を選ぶことが可能になり、６年間安心して快適に背負うことができる。【選択図】図１【図１】
0005866606.tif 000002
【図２】
0005866606.tif 000003
【図３】
0005866606.tif 000004
【図４】
0005866606.tif 000005
【図５】
0005866606.tif 000006
【図６】
0005866606.tif 000007
【図７】
0005866606.tif 000008
【図８】
0005866606.tif 000009
【図９】
0005866606.tif 000010
【図１０】
0005866606.tif 000011
【図１１】
0005866606.tif 000012
【図１２】
0005866606.tif 000013
【図１３】
0005866606.tif 000014
【図１４】
0005866606.tif 000015
【図１５】
0005866606.tif 000016
【図１６】
0005866606.tif 000017
【図１７】
0005866606.tif 000018
【図１８】
0005866606.tif 000019
【図１９】
0005866606.tif 000020
【図２０】
0005866606.tif 000021
【図２１】
0005866606.tif 000022